(57)【特許請求の範囲】
【請求項１】
建物の屋上に固定される架台本体と、前記架台本体に対して起立固定される下部支柱と、アンテナが設置される上部支柱とを備え、前記上部支柱は、前記下部支柱に対して軸心を中心軸にして回転可能で、かつ、固定ボルトによって回転角度を固定する回転式アンテナ架台であって、前記下部支柱と上部支柱を丸パイプによって構成し、前記上部支柱の下端を下部支柱の上端に回転可能に挿し入れ、前記丸パイプによって構成された下部支柱の上端外周に下部支柱フランジを設け、前記上部支柱の下部外周に前記下部支柱フランジに対面する上部支柱フランジを設け、前記下部支柱フランジと上部支柱フランジとに上下に貫通するボルト挿通孔を、このボルト挿通孔に前記固定ボルトを挿通し、前記固定ボルトによって前記下部支柱フランジと上部支柱フランジとを回転不能に固定し、前記下部支柱フランジと上部支柱フランジに設ける前記ボルト挿通孔を、それぞれ前記上部支柱の回転軸心を中心にした円弧形状に形成し、前記下部支柱フランジと上部支柱フランジに設けられた円弧形状のボルト挿通孔の中心角を１００°に設定し、この中心角が１００°の円弧形状のボルト挿通孔を、前記下部支柱フランジと上部支柱フランジにそれぞれ周方向に均等に３個ずつ配置し、前記下部支柱フランジと上部支柱フランジとの間に挟まれる回転補助リングを備え、この回転補助リングに、前記固定ボルトを周方向に１２０°の間隔に保持する貫通孔を設けたことを特徴とする回転式アンテナ架台。
【請求項２】
前記上部支柱を下部支柱に対して回転させる際に、作業員が掴む回転用取っ手を前記上部支柱に備えることを特徴とする請求項１に記載の回転式アンテナ架台。
【発明の詳細な説明】
【技術分野】
【０００１】
この発明は、建物の屋上に携帯電話基地局のアンテナを設置するために使用する回転式アンテナ架台に関する。
【背景技術】
【０００２】
建物の屋上に携帯電話基地局のアンテナを設置する場合、電波が建物に遮られないようにするために、図６に示すように、アンテナ支柱１００をできるだけ建物の屋上の周囲に設けられたパラペット１０１に近づけて建て、このアンテナ支柱１００にアンテナＡを建物の外面側に向けて設置している（例えば、特許文献１）。
【０００３】
建物の屋上の周囲に位置するパラペット１０１に近づけて建てたアンテナ支柱１００に、アンテナＡを外面側に向けて設置する場合、作業員が建物の屋上からパラペット１０１の外面に乗り出して行うことは危険であるため、通常は足場を組んで安全性を担保して行っている。
【先行技術文献】
【特許文献】
【０００４】
【特許文献１】実用新案登録第３２１１７５８号公報
【発明の概要】
【発明が解決しようとする課題】
【０００５】
ところが、アンテナＡのメンテナンスを行う場合に、いちいち足場を組んで行うことは面倒である。このため、作業員がパラペット１０１の内面側から外面側に身を乗り出して作業を行うことも多く、危険を伴うと共に作業性が悪いという問題がある。
【０００６】
そこで、この発明は、アンテナのメンテナンスの際に、作業員がパラペットの内面側から外面側に身を乗り出すことなく、安全に作業を行うことができるアンテナ架台を提供しようとするものである。
【課題を解決するための手段】
【０００７】
前記の課題を解決するために、この発明に係るアンテナ架台は、建物の屋上に固定される架台本体と、前記架台本体に対して起立固定される下部支柱と、アンテナが設置される上部支柱とを備え、前記上部支柱を、前記下部支柱に対して軸心を中心軸にして回転可能で、かつ、固定ボルトによって回転角度を固定できるように、回転式にしたものである。
【０００８】
前記下部支柱と上部支柱を丸パイプによって構成し、前記上部支柱の下端を下部支柱の上端に回転可能に挿し入れる構成とすることができる。
【０００９】
前記丸パイプによって構成された下部支柱の上端外周に下部支柱フランジを設け、前記上部支柱の下部外周に前記下部支柱フランジに対面する上部支柱フランジを設け、前記下部支柱フランジと上部支柱フランジとに上下に貫通するボルト挿通孔を設け、このボルト挿通孔に前記固定ボルトを挿通し、前記固定ボルトによって前記下部支柱フランジと上部支柱フランジとを回転不能に固定することができる。
【００１０】
前記下部支柱フランジと上部支柱フランジに設ける前記ボルト挿通孔を、それぞれ前記上部支柱の回転軸心を中心にした円弧形状にすることができる。
【００１１】
前記下部支柱フランジと上部支柱フランジに設ける円弧形状のボルト挿通孔の中心角を１００°に設定し、この中心角が１００°の円弧形状のボルト挿通孔を、前記下部支柱フランジと上部支柱フランジにそれぞれ周方向に均等に３個ずつ配置してもよい。
【００１２】
前記下部支柱フランジと上部支柱フランジとの間に回転補助リングを挟み、この回転補助リングに、前記固定ボルトを周方向に１２０°の間隔に保持する貫通孔を設けるようにしてもよい。
【００１３】
前記上部支柱には、上部支柱を下部支柱に対して回転させる際に、作業員が掴む回転用取っ手を設けてもよい。
【発明の効果】
【００１４】
以上のように、この発明によれば、建物の外面側に向けて上部支柱に取付けられたアンテナを、メンテナンスの際に、下部支柱に対して上部支柱を回転させることにより、建物の内面側に向けることができるので、作業員がパラペットの外面側に乗り出すことなく安全に作業を行うことができる。
【図面の簡単な説明】
【００１５】
【図１】この発明の実施形態に係る回転式アンテナ架台を使用してアンテナを設置した状態を示す側面図である。
【図２】図１に示す回転式アンテナ架台の部分分解斜視図である。
【図３】アンテナを建物の外面側に向けて設置した状態を示す図１の回転式アンテナ架台の部分分解斜視図である。
【図４】図３の状態から上部支柱を下部支柱に対して時計方向に１００°回転させた状態を示す図１の回転式アンテナ架台の部分分解斜視図である。
【図５】図４の状態から上部支柱を下部支柱に対して時計方向にさらに１００°回転させた状態を示す図１の回転式アンテナ架台の部分分解斜視図である。
【図６】従来のアンテナ架台を使用してアンテナを設置した状態を示す側面図である。
【発明を実施するための形態】
【００１６】
以下、この発明の実施形態に係る回転式アンテナ架台を図１〜図５に基づき説明する。
【００１７】
この実施形態に係る回転式アンテナ架台は、図１に示すように、建物の屋上１に固定設置される架台本体３と、前記架台本体３に対して起立固定される下部支柱４と、アンテナＡが設置される上部支柱５とを備える。
【００１８】
図１に示すように、建物の屋上１の外周にはパラペット２が設けられ、架台本体３はパラペット２にできるだけ近づけて屋上１に固定設置される。
【００１９】
前記下部支柱４と上部支柱５は、丸パイプによって構成され、前記上部支柱５の下端を下部支柱４の上端に回転可能に挿し入れることにより、上部支柱５は、前記下部支柱４に対して軸心を中心軸にして回転可能に設けられ、固定ボルト６によって回転角度を固定することができる。
【００２０】
前記固定ボルト６は、図２に示すように、前記下部支柱４の上端外周に熔接固定された下部支柱フランジ７に設けたボルト挿通孔８と、上部支柱５の下部外周に熔接固定された上部支柱フランジ９に設けたボルト挿通孔１０に挿通し、ナット１１を螺合することにより、前記下部支柱４に対して上部支柱５の回転を固定することができる。
【００２１】
前記上部支柱５の上部支柱フランジ９の上方外面には、下部支柱４に対して上部支柱５を回転させる際に、作業員が掴む回転用取っ手１２を９０°間隔で周方向に４本設けている。
【００２２】
前記下部支柱フランジ７に設けられたボルト挿通孔８と上部支柱フランジ９に設けられたボルト挿通孔１０は、それぞれ周方向に３個ずつ均等に配置され、上部支柱５の回転軸心を中心にした中心角が１００°の円弧形状に形成されている。
【００２３】
前記下部支柱フランジ７と上部支柱フランジ９とは、図２に示すように、回転補助リング１３を挟んで対面し、この回転補助リング１３に、前記固定ボルト６を周方向に１２０°の間隔に等間隔で保持する貫通孔１４を設けている。
【００２４】
前記回転補助リング１３の貫通孔１４に挿通され、周方向に１２０°間隔で配置される３本の固定ボルト６は、例えば、図３に示す状態から図４、図５に示すように、上部支柱５を下部支柱４に対して時計方向に回転させる場合、回転方向に向かう方向を前方、回転方向と反対の方向を後方にすると、上部支柱５に取付けられたアンテナＡの向きが図３に示す状態、即ち、アンテナＡが建物の外面側に向いた図１に示す状態において、下部支柱フランジ７に設けた円弧状のボルト挿通孔８の後方端に位置し、上部支柱フランジ９に設けた円弧状のボルト挿通孔１０の前方端に位置するように、下部支柱フランジ７のボルト挿通孔８と上部支柱フランジ９のボルト挿通孔１０に挿通されている。
【００２５】
前記上部支柱５に取付けられたアンテナＡの向きが建物の外面側に向いた図３に示す状態における下部支柱４に対する上部支柱５の回転角を０°とした場合、上部支柱５の下部支柱４に対する回転角が０°であることを示すために、下部支柱フランジ７と、回転補助リング１３と、上部支柱フランジ９の外周面に、上下に一直線に並ぶ位置決めマーク１５ａ、１５ｂ、１５ｃを切溝によって形成している。
【００２６】
したがって、下部支柱フランジ７の位置決めマーク１５ａと、回転補助リング１３の位置決めマーク１５ｂと、上部支柱フランジ９の位置決めマーク１５ｃを上下一直線に揃えることにより、上部支柱５に取付けられたアンテナＡの向きが建物の外面側に向いた図３に示す状態、即ち、下部支柱４に対する上部支柱５の回転角を０°の状態にすることができる。
【００２７】
この下部支柱４に対する上部支柱５の回転角を０°にした状態で、下部支柱フランジ７のボルト挿通孔８と上部支柱フランジ９のボルト挿通孔１０に挿通した固定ボルト６にナット１１を螺合し、ナット１１を固定ボルト６に締め付けると、上部支柱５に取付けられたアンテナＡの向きが建物の外面側に向いた図３に示す状態、即ち、下部支柱４に対する上部支柱５の回転角を０°の状態に固定することができる。
【００２８】
上部支柱５に取付けられたアンテナＡのメンテナンスを行う場合には、固定ボルト６のナット１１を緩めた状態で、作業員が上部支柱５の回転用取っ手１２を掴んで、図４の矢印で示すように、上部支柱５を時計方向に回転させると、固定ボルト６が上部支柱フランジ９の円弧状のボルト挿通孔１０の後方端に移動するまで、上部支柱５と上部支柱フランジ９を下部支柱４に対して１００°回転させることができる。
【００２９】
この第４図の状態からさらに作業員が上部支柱５の回転用取っ手１２を掴んで、上部支柱５を時計方向に回転させると、上部支柱フランジ９の回転力が回転補助リング１３に伝わり、図５に示すように、固定ボルト６が下部支柱フランジ７の円弧状のボルト挿通孔８の後方端から前方端に移動するまで、上部支柱５と上部支柱フランジ９が下部支柱４に対してさらに１００°回転し、図３に示す回転角が０°の状態から図４に示す回転角が１００°状態を経て、図５に示す回転角が２００°の状態まで、上部支柱５を下部支柱４に対して回転させることができる。
【００３０】
したがって、アンテナＡのメンテナンスを行う際には、図３に示すアンテナＡが建物の外面側に向いた状態から上部支柱５をアンテナＡが図５に示す建物の内側に向く状態まで、上部支柱５を下部支柱４に対して回転させることができるので、作業者がパラペット２の内面側から外面側に身を乗り出すことなく、安全にメンテナンス作業を行うことができる。
【００３１】
この発明は前述した実施形態に何ら限定されるものではなく、この発明の要旨を逸脱しない範囲において、さらに種々の形態で実施し得ることは勿論のことであり、本発明の範囲は、特許請求の範囲によって示され、さらに特許請求の範囲に記載の均等の意味、および範囲内の全ての変更を含む。
【符号の説明】
【００３２】
１      ：屋上
２      ：パラペット
３      ：架台本体
４      ：下部支柱
５      ：上部支柱
６      ：固定ボルト
７      ：下部支柱フランジ
８      ：ボルト挿通孔
９      ：上部支柱フランジ
１０    ：ボルト挿通孔
１１    ：ナット
１２    ：回転用取っ手
１３    ：回転補助リング
１４    ：貫通孔
１５ａ、１５ｂ、１５ｃ  ：位置決めマーク
Ａ      ：アンテナ
【要約】      （修正有）【課題】作業者がパラペットの内壁面側から外壁面側に身を乗り出すことなく、安全にアンテナのメンテナンス作業を行うことができるアンテナ架台を提供する。【解決手段】回転式アンテナ架台は、建物の屋上１に固定される架台本体３と、架台本体３に対して起立固定される下部支柱４と、アンテナＡが設置される上部支柱５とを備える。上部支柱５を、下部支柱４に対して軸心を中心軸にして回転可能で、かつ、固定ボルト６によって回転角度を固定できるように、上部支柱５を下部支柱４に対して回転式にする。【選択図】図１【図１】
0006793304.tif 000002
【図２】
0006793304.tif 000003
【図３】
0006793304.tif 000004
【図４】
0006793304.tif 000005
【図５】
0006793304.tif 000006
【図６】
0006793304.tif 000007